(57)【要約】【課題】設置場所がどのような状況でも収納機材のメンテナンスを極めて容易に行えるようにすると共に、収納する機材を自由に変更することが可能なコンピュータシステムの収納装置を提供する。【解決手段】  前面が開口した収納ケース１０を設ける。コンピュータシステムの機材を収納するフレーム２０を設ける。収納ケース１０内に取付けられフレーム２０を収納ケース１０に出し入れ自在に設けたスライド機構３０を設ける。フレーム２０の底部に回転機構４０を装着し、収納ケース１０の開口部から引き出したフレーム２０を回転自在に支持する。【選択図】図４
2005150436.tif 000002
【特許請求の範囲】
【請求項１】
前面が開口した収納ケースと、コンピュータシステムの機材を収納するフレームと、収納ケース内に取付けられフレームを収納ケースに出し入れ自在に設けたスライド機構とからなる収納装置において、フレームの底部に回転機構を装着し、収納ケースの開口部から引き出したフレームを回転自在に支持することを特徴とするコンピュータシステムの収納装置。
【請求項２】
前記スライド機構は、前記収納ケース内の上下左右に装着されたスライドレールと、該スライドレールに沿ってスライド移動する上下一対の移動盤とからなり、下部移動盤の上に前記フレームを着脱自在に載置すると共に、上部移動盤で前記フレームを支持するように設けた請求項１記載のコンピュータシステムの収納装置。
【請求項３】
前記フレームは、天板および底板を４本の支柱で連結固定した枠体と、前記スライド機構の下部移動盤上に載置固定する基台とが別体に設けられ、これら枠体と基台との間に設けた前記回転機構を介して基台上の枠体を回転自在に支持する回転フレームを構成した請求項１記載のコンピュータシステムの収納装置。
【請求項４】
前記フレームを、天板および底板を４本の支柱で連結固定した枠体と、前記スライド機構の下部移動盤上に載置固定する基台とを一体に固定する構成のスライドフレームを構成し、前記スライド機構の下部移動盤上に載置する前記回転フレームに替えてスライドフレームを交換自在に設けた請求項３記載のコンピュータシステムの収納装置。
【請求項５】
前記収納ケースは、該収納ケース内部に取付けたスライド機構に替えて棚載置用の１９インチ用アングル材を取付けることで１９インチラックを構成する請求項１記載のコンピュータシステムの収納装置。
【発明の詳細な説明】
【技術分野】
【０００１】
本発明は、コンピュータシステムの収納装置に係り、特にハードウエア機材並びにその周辺機器を効率良く収納し、且つ、メンテナンス作業が極めて容易なコンピュータシステムの収納装置に関するものである。
【背景技術】
【０００２】
当出願人は先に、特許文献１に記載のコンピュータシステムの多段収納載置装置を提案している。この装置では、コンピュータシステムのハードウエア構成ユニットを利用し易く、しかもコンパクトに配置し得ると共に、メンテナンス作業も容易に行うことができるように構成されている。
【０００３】
すなわち、特許文献１の構成は、収納ケースの内部にスライド自在に収納するフレームを設けたもので、このフレームにコンピュータシステムの各構成ユニットをそれぞれ載置する棚部および底部を設け、該底部にキャスタとローラとを設け、該ローラを前記収納ケースの底部に設けたガイド部に取付けられたスライダに嵌合して、前記フレームを収納ケース内に出し入れ自在に構成している。
【０００４】
このような特許文献１により、コンピュータシステムをコンパクトに配置し得ると共に、メンテナンス作業も容易になる。特に、メンテナンス時において、収納ケースからフレームを必要な位置まで引き出して、収納機材の左右側面および背面から保守作業を行うことができるようになっている。
【特許文献１】特開平７−３０７５８６号公報
【発明の開示】
【発明が解決しようとする課題】
【０００５】
引用文献１により、収納機材のコンパクトな配置や容易なメンテナンス作業に成功しているが、本発明では、このような特許文献１の構成を更に改良することで、より使い易くするものである。
【０００６】
すなわち、引用文献１が発明されるまでの従来の多段載置装置は、収納機材の背面に関する保守を容易にするために、背面に扉を増加した収納ケースを選択して使用している。ところが、収納ケースの背面に作業スペースがない場合のメンテナンスは、載置棚の前面から機材を一台ずつ引き出して行うといった極めて面倒な作業が必要になっていた。そこで、引用文献１を使用することにより、収納ケースの前面からフレームを必要な位置まで引き出して収納機材の保守作業を行えるので極めて容易になっている。
【０００７】
しかしながら、収納機材の左右側面に対しての保守作業等と比較して、収納機材背面の作業を行う場合は作業効率が劣る不都合があった。すなわち、収納機材背面の作業を行う場合は、収納ケースの前面に引き出したフレームと、収納ケースとの隙間から機材背面の作業を行うことにならざるを得ず、機材側面のように作業スペースが広く開いた保守作業等に比べて、機材背面の保守作業能率が劣ることはやむを得ない状況にあった。
【０００８】
また、引用文献１は、収納ケースから引き出したフレームに、任意の機材を載置できるので、機材の収納作業の効率化を図ることも可能になっている。しかしながら、その一方で、載置可能な機材がフレームの規格に制限されるという不都合があった。例えば、フレーム規格に合った機材を載置することはできても、この規格以外の機材や、全く棚板を使用しない程の大型の機材等を設置する場合に不都合が生じるものであった。
【０００９】
そこで、本発明の目的は、設置場所がどのような状況でも収納機材のメンテナンスを極めて容易に行えるようにすると共に、収納する機材を自由に変更することが可能なコンピュータシステムの収納装置を提供することにある。
【課題を解決するための手段】
【００１０】
上術の課題を解決するため、本発明の第１の手段は、前面が開口した収納ケース１０と、コンピュータシステムの機材を収納するフレーム２０と、収納ケース１０内に取付けられフレーム２０を収納ケース１０に出し入れ自在に設けたスライド機構３０とからなる収納装置において、フレーム２０の底部に回転機構４０を装着し、収納ケース１０の開口部から引き出したフレーム２０を回転自在に支持することにある。
【００１１】
第２の手段における前記スライド機構３０は、前記収納ケース１０内の上下左右に装着されたスライドレール３１と、該スライドレール３１に沿ってスライド移動する上下一対の移動盤３２、３３とからなり、下部移動盤３２の上に前記フレーム２０を着脱自在に載置すると共に、上部移動盤３３で前記フレーム２０を支持するように設けたものである。
【００１２】
第３の手段において、前記フレーム２０は、天板２１Ａおよび底板２１Ｂを４本の支柱２１Ｃで連結固定した枠体２１と、前記スライド機構３０の下部移動盤３２上に載置固定する基台２２とが別体に設けられ、これら枠体２１と基台２２との間に設けた前記回転機構４０を介して基台２２上の枠体２１を回転自在に支持する回転フレーム２０Ａを構成する。
【００１３】
第４の手段は、前記フレーム２０を、天板２１Ａおよび底板２１Ｂを４本の支柱２１Ｃで連結固定した枠体２１と、前記スライド機構３０の下部移動盤３２上に載置固定する基台２２とを一体に固定する構成のスライドフレーム２０Ｂを構成し、前記スライド機構３０の下部移動盤３２上に載置する前記回転フレーム２０Ａに替えて交換自在としたものである。
【００１４】
第５の手段において、前記収納ケース１０は、該収納ケース１０内部に取付けたスライド機構３０に替えて棚載置用の１９インチ用アングル材を取付けることで１９インチラックを構成することにある。
【００１５】
本発明によると、収納ケース１０の前面に引き出したフレーム２０を回転させることができる。また、本発明のフレーム２０を、回転フレーム２０Ａまたはスライドフレーム２０Ｂの中から選択して収納ケース１０に装着することが可能になる。更に、収納ケース１０内部からフレーム２０とスライド機構３０とを取外し、収納ケース１０に他の機材を収納することもできる。
【発明の効果】
【００１６】
本発明の請求項１によると、フレーム２０の底部に回転機構４０を装着し、該回転機構４０で支持したフレーム２０を収納ケース１０の開口部から引き出した位置で回転自在とにしたことで、収納機材のメンテナンス、特に機材背面のメンテナンスが極めて容易になる。
【００１７】
請求項２により、下部移動盤３２の上に前記フレーム２０を着脱自在に載置すると共に、上部移動盤３３で前記フレーム２０を支持するので、フレーム２０内に多くの機材を収納した場合でも安定した状態でスライド移動することができる。
【００１８】
請求項３に記載の回転フレーム２０Ａにより、枠体２１と基台２２との間に設けた前記回転機構４０を介して基台２２上の枠体２１を回転自在に支持することができるので、回転機構４０の構成をコンパクトにすることができる。また、回転フレーム２０Ａを下部移動盤３２及び上部移動盤３３から容易に取外すことも可能である。
【００１９】
請求項４に記載のスライドフレーム２０Ｂにより、収納ケース１０の背面に作業スペースがある場合などのように、フレーム２０を回転させる必要のない状況に適当なスライドフレーム２０Ｂを、回転フレーム２０Ａに替えて選択使用することができる。
【００２０】
請求項５に記載の収納ケース１０により、収納ケース１０のみを利用して１９インチラックとして使用することが可能になり、多くの機材に対して、より幅広い適応が可能になっている。
【発明を実施するための最良の形態】
【００２１】
本発明に係るコンピュータシステムの収納装置によると、下部移動盤３２の上に前記フレーム２０を着脱自在に載置すると共に、上部移動盤３３で前記フレーム２０を支持し、フレーム２０の枠体２１と基台２２との間に設けた前記回転機構４０を介して基台２２上の枠体２１を回転自在に支持し、収納ケース１０の開口部からフレーム２０を引き出した位置で回転自在とするものである。
【実施例】
【００２２】
次に、図面に基いて本発明に係るコンピュータシステムの収納装置の実施例を詳細に説明する。本発明の主要構成は、収納ケース１０、フレーム２０，スライド機構３０、回転機構４０からなるものである（図４参照）。
【００２３】
収納ケース１０は、前面が開口し、内部にスライド機構３０を取付けてあり、フレーム２０をスライド自在に収納する。この収納ケース１０は、内部に取付けたスライド機構３０に替えて棚載置用の１９インチ用アングル材（図示せず）を取付けることで１９インチラックを構成するサイズに形成している（図７参照）。また、収納機材の用途により、他のサイズに形成することもできる。
【００２４】
図示の収納ケース１０は、左右側面内部の上下に帯状の固定金具１１を固定してあり、この固定金具１１に後述するスライド機構３０のスライドレール３１や、１９インチ用アングル材を固定するものである（図７参照）。また、図示の収納ケース１０は、前面が開口し、この前面に扉１２を装着しているが（図１、２参照）、前面と後面とが開口してそれぞれに扉１２を装着した収納ケース１０を使用することも可能である（図示せず）。扉１２には、平面取手１２Ａとシリンダー錠１２Ｂとを設けている（図１参照）。
【００２５】
フレーム２０は、コンピュータシステムの機材を収納する枠体である（図３参照）。このフレーム２０に適数枚の棚板（図示せず）を設置して機材を載置したり、棚板を用いずに直接設置することもできる。フレーム２０には、回転フレーム２０Ａ（図１１参照）とスライドフレーム２０Ｂ（図１２参照）とが用意され、これらを選択使用することが可能である。フレーム２０の底部に回転機構４０を装着しているのは回転フレーム２０Ａであり、機材を設置したフレーム２０を回転自在に支持する。
【００２６】
図２及び図１１に示すフレーム２０は、回転フレーム２０Ａを示している。この回転フレーム２０Ａは、枠体２１と基台２２とが別体に設けられ、これら枠体２１と基台２２との間に設けた前記回転機構４０を介して基台２２上の枠体２１を回転自在に支持するものである（図１１参照）。このとき、枠体２１は、天板２１Ａおよび底板２１Ｂを４本の支柱２１Ｃで連結固定された構成である。一方、基台２２は、前記スライド機構３０の下部移動盤３２上に載置固定する部材となる。図示の基台２２は、凹状に設けられた下部移動盤３２上に嵌合するもので、この下部移動盤３２上に載置するだけで基台２２が固定される（図５参照）。そして、この基台２２から回転機構４０を貫通する回転軸２２Ａにより、枠体２１の底板２１Ｂを回転自在に連結している（図３、図６参照）。この回転フレーム２０Ａによると、特に、収納ケース１０の三方が壁面に囲まれている状況で設置されていても、収納ケース１０からフレーム２０を引き出してこれを回転させ、機材のメンテナンスを行うことができるものである（図６参照）。
【００２７】
図１２に示すフレーム２０は、スライドフレーム２０Ｂを示している。このスライドフレーム２０Ｂは、前記回転フレーム２０Ａに替えて使用するもので、特に回転機構４０を使用しないものである。このスライドフレーム２０Ｂは、例えば、収納ケース１０の背面に作業スペースがある場合などのように、フレーム２０を回転させる必要のない状況で使用する。図示のスライドフレーム２０Ｂは、天板２１Ａおよび底板２１Ｂを４本の支柱２１Ｃで連結固定した枠体２１と、前記スライド機構３０の下部移動盤３２上に載置固定する基台２２とを一体に連結している。このスライドフレーム２０Ｂは、回転フレーム２０Ａに比べて構成が簡略化されているので、フレーム２０を回転させる必要がない場合に好適である。
【００２８】
スライド機構３０は、フレーム２０を収納ケース１０に出し入れ自在にする機構である（図３参照）。このスライド機構３０は、収納ケース１０内に装着されたスライドレール３１と、該スライドレール３１に沿ってスライド移動する上下一対の移動盤３２、３３とからなる（図８参照）。
【００２９】
スライドレール３１は、収納ケース１０の内側面左右で対を成し、上下に２対配設されている。そして、下部のスライドレール３１に固定された下部移動盤３２と、上部のスライドレール３１に固定された上部移動盤３３とが、それぞれ収納ケース１０内部から開口部の外側へとスライド移動する（図５、図６参照）。図示のスライドレール３１は、収納ケース１０内に固定する固定片３１Ａからスライド片３１Ｂを介して連結片３１Ｃがスライドする（図６参照）。
【００３０】
下部移動盤３２は、前記フレーム２０を着脱自在に載置する部材で、載置したフレーム２０の底部を支持固定する（図３参照）。この下部移動盤３２に載置するフレーム２０は、前記の回転フレーム２０Ａ及びスライドフレーム２０Ｂから選択して載置される。また、フレーム２０の替わりに、大型機材Ｐを下部移動盤３２に直接載置することも可能である（図１３参照）。図示の下部移動盤３２は、底板３２Ａと周囲側板３２Ｂとで構成し、前記フレーム２０の基台２２を嵌合する凹状に形成している（図５、図６参照）。これにより、フレーム２０の底部を下部移動盤３２に載置するだけで下部移動盤３２に固定することができる。
【００３１】
下部移動盤３２に載置するフレーム２０が回転フレーム２０Ａの場合に、この回転フレーム２０Ａの回転を防止する回転ストッパー３２Ｃを下部移動盤３２に設けている（図４、図６参照）。この回転ストッパー３２Ｃは、フレーム２０をスライド移動する場合に、不用意に回転するのを防止するものである（図３、図９参照）。また、収納ケース１０から引き出したフレーム２０を回転させる場合は、この回転ストッパー３２Ｃを解除して行う（図４参照）。更に、下部移動盤３２の前面に、引出し用の取手３２Ｄを設けることで、スライド機構３０及びフレーム２０の出し入れ作業を容易にしている（図３、図９参照）。尚、同図中、符号３２Ｅは下部移動盤３２の下に設けたキャスターを示している。
【００３２】
上部移動盤３３は、下部移動盤３２の上に着脱自在に載置したフレーム２０を、上から支持する部材である（図３、図９参照）。この上部移動盤３３は、フレーム２０の天板２１Ａ上に重ねる支持板３３Ａと、スライドレール３１に固定する枠体３３Ｂとから成る（図１０参照）。そして、回転フレーム２０Ａを支持する場合は、回転軸３３Ｃを用いて天板２１Ａを回転自在に支持し、スライドフレーム２０Ｂを支持する場合は、複数本の固定ネジ３３Ｄで回転しないように固定する。また、上部移動盤３３には、収納ケース１０の内部にスライド機構３０を固定するスライドストッパー３３Ｅを設けている（図９参照）。このスライドストッパー３３Ｅは、収納ケース１０の内部に収納したフレーム２０が、不用意にスライド移動しないように固定するものである（図２参照）。
【００３３】
回転機構４０は、フレーム２０の底部に装着して、収納ケース１０の開口部から引き出したフレーム２０を回転自在に支持する機構である（図４参照）。同図の回転機構４０は、フレーム２０を４５度まで回転した状態を示しているが、少なくともフレーム２０を９０度まで回転させることが可能である。この回転機構４０は、回転フレーム２０Ａの枠体２１と基台２２との間に配されている（図１１参照）。この回転機構４０として、例えば、円形レール（図示せず）上を回転する回転板４１などを使用することが可能である（図６参照）。要は、フレーム２０の底部、すなわち枠体２１の底板２１Ｂを回転自在に支持するものであれば良い。また、この外の回転機構を適宜選択して採用することもできる。
【００３４】
本発明装置によると、フレーム２０内に収納された機材はフレーム２０ごと収納ケース１０の内部に収納されている（図１参照）。そして、収納機材のメンテナンスを行う場合は、収納ケース１０の扉１２を開けてスライドストッパー３３Ｅを解除する（図２参照）。続いて収納ケース１０からからフレーム２０を引出した後に回転ストッパー３２Ｃを解除する（図３参照）。更に、フレーム２０を回転させることで、収納機材の背面及び側面を表出せしめ、必要な作業を行うものである（図４参照）。
【００３５】
また、本発明装置のフレーム２０を交換する場合は、上部移動盤３３をフレーム２０の上面から外すのみで交換可能になっている（図５参照）。したがって、新たなフレーム２０をスライド機構３０に装着する場合も、下部移動盤３２に載置したフレーム２０の上面に上部移動盤３３を連結するだけの容易な作業になっている。
【００３６】
以上、本発明の好適な実施例について説明したが、本発明は前記実施例に限定されることなく、本発明の主旨を逸脱しない範囲内における種々の設計変更は自由に行えるものである。
【図面の簡単な説明】
【００３７】
【図１】本発明の一実施例を示す斜視図である。
【図２】本発明の収納ケースの内部を示す斜視図である。
【図３】図１に示す収納ケースからフレームを引き出した状態を示す斜視図である。
【図４】図３に示す収納ケースから引き出したフレームを４５度回転した状態を示す斜視図である。
【図５】図３に示す収納ケースから引き出したフレームを取外した状態を示す斜視図である。
【図６】図３に示す収納ケースからフレームを引き出した状態を示す概略平断面図である。
【図７】本発明の収納ケースの内部を示す縦断面図である。
【図８】本発明のスライド機構とフレームとを示す側面図である。
【図９】本発明のスライド機構に載置したフレームを示す正面図である。
【図１０】本発明のスライド機構の上部移動盤を示す平面図である。
【図１１】本発明の回転フレームを示す正面図である。
【図１２】本発明のスライドフレームを示す正面図である。
【図１３】本発明の他の使用例を示す側断面図である。
【符号の説明】
【００３８】
Ｐ  大型機材
１０  収納ケース
１１  固定金具
１２  扉              １２Ａ  平面取手
１２Ｂ  シリンダー錠
２０  フレーム        ２０Ａ  回転フレーム
２０Ｂ  スライドフレーム
２１  枠体            ２１Ａ  天板
２１Ｂ  底板
２１Ｃ  支柱
２２  基台            ２２Ａ  回転軸
３０  スライド機構
３１  スライドレール  ３１Ａ  固定片
３１Ｂ  スライド片
３１Ｃ  連結片
３２  下部移動盤      ３２Ａ  底板
３２Ｂ  周囲側板
３２Ｃ  回転ストッパー
３２Ｄ  取手
３２Ｅ  キャスター
３３  上部移動盤      ３３Ａ  支持板
３３Ｂ  枠体
３３Ｃ  回転軸
３３Ｄ  固定ネジ
３３Ｅ  スライドストッパー
４０  回転機構
４１  回転板
【図１】
2005150436.tif 000003
【図２】
2005150436.tif 000004
【図３】
2005150436.tif 000005
【図４】
2005150436.tif 000006
【図５】
2005150436.tif 000007
【図６】
2005150436.tif 000008
【図７】
2005150436.tif 000009
【図８】
2005150436.tif 000010
【図９】
2005150436.tif 000011
【図１０】
2005150436.tif 000012
【図１１】
2005150436.tif 000013
【図１２】
2005150436.tif 000014
【図１３】
2005150436.tif 000015